(57)【要約】【課題】シート搬送手段から搬送されたシートを整列させて積載することが容易にできるシート積載装置を提供する。【解決手段】搬送ベルト３２から搬送されたシート１を積載する排紙台１１４と、排紙台１１４のシート１の搬送方向前方側に配設されて搬送ベルト３２から搬送されたシート１の搬送方向前方側の端部に当接する前当て板１２３とを備えているシート積載装置１００において、排紙台１１４に積載されたシート１の搬送方向後方側の端部に対して当接離反移動できるように配設された後当て部材１４２を備えた。【選択図】図２
2015209291.tif 000002
【特許請求の範囲】
【請求項１】
シート搬送手段から搬送されたシートを積載する積載手段と、
前記積載手段のシートの搬送方向前方側に配設されて前記シート搬送手段から搬送されたシートの搬送方向前方側の端部に当接する先端側当て部材と
を備えているシート積載装置において、
前記積載手段に積載されたシートの搬送方向後方側の端部に対して当接離反移動できるように配設された後端側当て部材を備えている
ことを特徴とするシート積載装置。
【請求項２】
請求項１に記載のシート積載装置において、
前記シート搬送手段から搬送されたシートの搬送方向前方側の端部を前記先端側当て部材に当接させるように当該シート搬送手段から搬送されたシートを案内するシートガイド部材を備えている
ことを特徴とするシート積載装置。
【請求項３】
請求項２に記載のシート積載装置において、
前記シートガイド部材が、前記積載手段の上方に位置するように前記先端側当て部材から突出し、前記シート搬送手段側よりも当該先端側当て部材側ほど下方に位置するように傾斜したガイド面を有するものである
ことを特徴とするシート積載装置。
【請求項４】
請求項１から請求項３のいずれか一項に記載のシート積載装置において、
前記先端側当て部材が、シートの搬送方向に沿って移動可能に支持されている
ことを特徴とするシート積載装置。
【発明の詳細な説明】
【技術分野】
【０００１】
本発明は、シート搬送手段から搬送されたシートを先端側当て部材に当接させて積載手段に積載するシート積載装置に関する。
【背景技術】
【０００２】
例えば、印刷機において、印刷されたシートを排紙台上に紙積みする排紙装置としては、印刷されたシートを搬送ベルトで搬送して前当て板に当てて排紙台上に積載するものが知られている（例えば、下記特許文献１等参照）。
【先行技術文献】
【特許文献】
【０００３】
【特許文献１】特開平８−２１７３１１号公報
【発明の概要】
【発明が解決しようとする課題】
【０００４】
前述したような従来の排紙装置においては、例えば、搬送ベルトによるシートの搬送速度が速いと、シートが前当て板に当たったときに大きく跳ね返ってしまう一方、搬送ベルトによるシートの搬送速度が遅いと、シートが前当て板にまで到達しなくなってしまうため、排紙台上にシートを整列させて積載するように調整することが難しかった。
【０００５】
このような問題は、印刷されたシートを排紙台上に紙積みする前述したような排紙装置に限らず、シート搬送手段から搬送されたシートを先端側当て部材に当接させて積載手段に積載するシート積載装置であれば、前述したような排紙装置の場合と同様にして起こり得ることである。
【０００６】
このようなことから、本発明は、シート搬送手段から搬送されたシートを整列させて積載することが容易にできるシート積載装置を提供することを目的とする。
【課題を解決するための手段】
【０００７】
前述した課題を解決するための、本発明に係るシート積載装置は、シート搬送手段から搬送されたシートを積載する積載手段と、前記積載手段のシートの搬送方向前方側に配設されて前記シート搬送手段から搬送されたシートの搬送方向前方側の端部に当接する先端側当て部材とを備えているシート積載装置において、前記積載手段に積載されたシートの搬送方向後方側の端部に対して当接離反移動できるように配設された後端側当て部材を備えていることを特徴とする。
【０００８】
また、本発明に係るシート積載装置は、上述したシート積載装置において、前記シート搬送手段から搬送されたシートの搬送方向前方側の端部を前記先端側当て部材に当接させるように当該シート搬送手段から搬送されたシートを案内するシートガイド部材を備えていることを特徴とする。
【０００９】
また、本発明に係るシート積載装置は、上述したシート積載装置において、前記シートガイド部材が、前記積載手段の上方に位置するように前記先端側当て部材から突出し、前記シート搬送手段側よりも当該先端側当て部材側ほど下方に位置するように傾斜したガイド面を有するものであることを特徴とする。
【００１０】
また、本発明に係るシート積載装置は、上述したシート積載装置において、前記先端側当て部材が、シートの搬送方向に沿って移動可能に支持されていることを特徴とする。
【発明の効果】
【００１１】
本発明に係るシート積載装置によれば、積載手段に積載されたシートの搬送方向後方側の端部に対して後端側当て部材が当接離反移動することにより、先端側当て部材と協働してシートを搬送方向に揃えることができるので、シート搬送手段から搬送されたシートを整列させて積載することが容易にできる。
【図面の簡単な説明】
【００１２】
【図１】本発明に係るシート積載装置を排紙装置に利用した両面デジタル印刷機の主な実施形態の概略構成図である。
【図２】図１の両面デジタル印刷機の排紙装置の要部の抽出拡大図である。
【図３】図２の矢線 III方向から見た図である。
【図４】図２の矢線IV方向から見た図である。
【図５】図２の矢線 V方向から見た図である。
【図６】図３の矢線VI方向から見た図である。
【発明を実施するための形態】
【００１３】
本発明に係るシート積載装置の実施形態を図面に基づいて説明するが、本発明は図面に基づいて説明する以下の実施形態のみに限定されるものではない。
【００１４】
〈主な実施形態〉
本発明に係るシート積載装置を両面デジタル印刷機の排紙装置に利用した場合の主な実施形態を図１〜６に基づいて説明する。
【００１５】
図１に示すように、シート１が積載される供給台である給紙台１１の上方には、当該給紙台１１上からフィーダボード１３上へシート１を一枚ずつ送り出すサッカ装置１２が配設されている。前記フィーダボード１３のシート搬送方向下流側は、シート１の端部を着脱可能に保持するくわえ装置２０Ａａを一つ有するいわゆる一倍胴の渡胴２０Ａの近傍に位置している。前記フィーダボード１３のシート搬送方向下流側と前記渡胴２０Ａとの間には、当該フィーダボード１３から当該渡胴２０Ａの前記くわえ装置２０Ａａにシート１を受け渡すスイング装置１４が配設されている。
【００１６】
前記渡胴２０Ａには、シート１の端部を着脱可能に保持する三つのくわえ装置２１ａ〜２１ｃを周方向に沿って等間隔で有するいわゆる三倍胴の印刷胴２１が対接している。前記印刷胴２１の前記渡胴２０Ａとの対接位置よりも回転方向下流側には、当該印刷胴２１の周面に保持されたシート１に対してインキを噴射して印刷を施すインクジェットノズルヘッド２２Ａ〜２２Ｄが先端側を当該印刷胴２１の外周面に対向させるようにして配設されている。前記印刷胴２１の前記インクジェットノズルヘッド２２Ａ〜２２Ｄとの対向位置よりも回転方向下流側には、当該印刷胴２１の周面に保持されて印刷されたシート１のインキを乾燥させる乾燥ランプ２３が正面を当該印刷胴２１の外周面に対向させるようにして配設されている。
【００１７】
前記印刷胴２１の、前記乾燥ランプ２３との対向位置よりも回転方向下流側と、前記渡胴２０Ａとの対接位置よりも回転方向上流側との間には、シート１の端部を着脱可能に保持するくわえ装置２０Ｂａを一つ有するいわゆる一倍胴の渡胴２０Ｂが対接している。前記渡胴２０Ｂの前記印刷胴２１との対接位置よりも回転方向下流側には、シート１の端部を着脱可能に保持するくわえ装置２０Ｃａを一つ有するいわゆる一倍胴の渡胴２０Ｃが対接している。
【００１８】
前記渡胴２０Ｃの前記渡胴２０Ｂとの対接位置よりも回転方向下流側には、シート１の端部を着脱可能に保持するくわえ装置２４ａを一つ有するものの前記渡胴２０Ａ〜２０Ｃの二倍の胴径をなすいわゆる二倍胴の反転用倍胴２４が対接している。前記印刷胴２１の前記渡胴２０Ｂとの対接位置よりも回転方向下流側と当該印刷胴２１の前記渡胴２０Ａとの対接位置よりも回転方向上流側との間と、前記反転用倍胴２４の前記渡胴２０Ｃとの対接位置よりも回転方向下流側との間には、当該反転用倍胴２４に保持されているシート１の、前記くわえ装置２４ａに保持された端部と異なる端部を前記印刷胴２１の前記くわえ装置２１ａ〜２１ｃにくわえ替えさせて反転させるように受け渡す反転用スイング装置２５が配設されている。
【００１９】
前記渡胴２０Ｃの、前記渡胴２０Ｂとの対接位置よりも回転方向下流側と前記反転用倍胴２４との対接位置よりも回転方向上流側との間には、シート１の端部を着脱可能に保持するくわえ装置３１ａを一つ有するいわゆる一倍胴の紙取胴３１が対接している。前記紙取胴３１の前記渡胴２０Ｃとの対接位置よりも回転方向下流側には、ローラ３２ａの回転により走行して当該紙取胴３１からのシート１を搬送するシート搬送手段である搬送ベルト３２の走行方向上流側が連絡している。前記搬送ベルト３２の走行方向下流側には、シート１を積載するシート積載装置１００が連絡しており、当該シート積載装置１００は、以下のような構成となっている。
【００２０】
図２〜４において、１０１はフレームであり、シート１の搬送方向と直交する水平方向に対をなすようにして配設されている。前記フレーム１０１には、上下方向へ長手方向を向けたガイドレール１１１がそれぞれ取り付けられている。前記ガイドレール１１１には、スライダ１１２が当該ガイドレール１１１に沿ってスライド移動可能にそれぞれ取り付けられている。前記スライダ１１２には、シート１の搬送方向に沿う水平方向へ長手方向を向けた支持ブラケット１１３がそれぞれ取り付けられている。前記支持ブラケット１１３上には、シート１を積載される積載台である排紙台１１４が載せられている。
【００２１】
前記フレーム１０１の、前記ガイドレール１１１の上端側近傍及び下端側近傍には、スプロケット１１５，１１６が回転可能に支持されている。前記スプロケット１１５，１１６間には、エンドレスチェーン１１９が巻き掛けられており、当該エンドレスチェーン１１９は、さらに、スプロケット１１７を介して駆動スプロケット１１８にも掛け渡されている。前記エンドレスチェーン１１９は、その一部が前記スライダ１１２に固着されている。
【００２２】
つまり、前記駆動スプロケット１１８を駆動回転させると、前記エンドレスチェーン１１９が走行移動し、前記スライダ１１２が前記ガイドレール１１１に沿ってスライド移動することにより、前記支持ブラケット１１３を介して前記排紙台１１４が昇降移動するようになっているのである。
【００２３】
図２，３，５に示すように、前記フレーム１０１の、前記ガイドレール１１１よりも上方でシート１の搬送方向前方側には、シート１の搬送方向に沿って長手方向を向けたガイドレール１２１が対をなして設けられている。前記ガイドレール１２１の上面には、対をなす移動ブロック１２２の上方側の係合部１２２ａが当該ガイドレール１２１の長手方向に沿って移動できるようにそれぞれ係合している。対をなす前記移動ブロック１２２の間の下方寄りには、シート１の搬送方向前方側の端部（先端部）を当接させる先端側当て部材である前当て板１２３が取り付けられている。
【００２４】
前記前当て板１２３のシート１との当接面には、シート１の搬送方向前方側の端部を当該前当て板１２３に当接させるようにシート１を案内するシートガイド部材であるガイドプレート１２４が前記排紙台１１４の上方に位置するように突設されており、当該ガイドプレート１２４は、前記搬送ベルト３２側（図２中、右側）よりも上記前当て板１２３側（図２中、左側）ほど下方に位置するように、すなわち、先端側（図２中、右側）が基端側（図２中、左側）よりも上方に位置するように傾斜したガイド面１２４ａを有している。
【００２５】
一方の前記移動ブロック１２２の上下方向中程には、シャフト１２５の一端側が回転可能に支持されている。他方の前記移動ブロック１２２の上下方向中程には、前記シャフト１２５の他端側が回転可能に支持されている。前記シャフト１２５の両端側には、ピニオン１２６が同軸をなしてそれぞれ取り付けられている。前記ピニオン１２６は、前記ガイドレール１２１の長手方向に沿って下面に形成されたラック１２１ａにそれぞれ噛み合っている。前記シャフト１２５の両端には、当該シャフト１２５を周方向に回転させるハンドル１２７がそれぞれ設けられている。
【００２６】
つまり、前記ハンドル１２７を回転させて、前記シャフト１２５を回転させると、前記ピニオン１２６が回転して、前記ガイドレール１２１の前記ラック１２１ａに沿って転動することにより、当該ガイドレール１２１の長手方向に沿って前記移動ブロック１２２が移動し、当該移動ブロック１２２の移動に伴って、前記前当て板１２３及び前記ガイドプレート１２４が前記排紙台１１４に対して接近離反移動できるようになっているのである。なお、図２，３，５中、１２８は、前記移動ブロック１２２の前記係合部１２２ａを前記ガイドレール１２１に対して固定する固定ねじである。
【００２７】
図３，６に示すように、前記紙取胴３１の一方側（図３中、下側）の軸端には、所定形状のカム面１３１ａを有するカム１３１が取り付けられている。前記紙取胴３１の近傍には、当該紙取胴３１の軸方向に沿って軸方向を向けた軸１３２が回動可能に支持されている。前記軸１３２には、揺動レバー１３３の中程が連結固定されている。
【００２８】
前記揺動レバー１３３の基端側（図３，６中、右側）には、カムフォロア１３４が設けられている。前記揺動レバー１３３の中程と基端側との間には、付勢手段である圧縮コイルばね１３５の一端側が連結されている。前記圧縮コイルばね１３５の他端側は、前記フレーム１０１に固定されている。
【００２９】
つまり、前記圧縮コイルばね１３５は、前記カムフォロア１３４を前記カム１３１の前記カム面１３１ａに常に当接させるように前記揺動レバー１３３を付勢しているのである。
【００３０】
前記フレーム１０１間の、前記排紙台１１４よりもシート１の搬送方向後方側（上流側）と前記搬送ベルト３２の走行方向下流側との間には、当該フレーム１０１間を橋渡すように、シート１の搬送方向と直交する水平方向に沿って長手方向を向けた回動軸１４１が回動可能に支持されている。前記回動軸１４１には、前記排紙台１１４上に載置されたシート１の搬送方向後方側の端部に当接する後端側当て部材である後当て部材１４２が当該回動軸１４１の軸方向に沿って複数取り付けられている。
【００３１】
対向する前記フレーム１０１間の外側に突出する前記回動軸１４１の一方側（図３中、下側）の軸端には、回動レバー１４３の基端側が連結固定されている。前記揺動レバー１３３の先端側（図３，６中、左側）には、駆動レバー１３７の基端側がピン１３７ａを介して回動可能に連結されている。前記駆動レバー１３７の先端側（図３，６中、左側）は、前記回動レバー１４３の先端側にピン１４３ａを介して回動可能に連結されている。
【００３２】
つまり、前記紙取胴３１の回転に伴って前記カム１３１が回転すると、当該カム１３１の回転に伴う前記カム面１３１ａの変位に追従するように前記カムフォロア１３４が移動することにより、前記揺動レバー１３３及び前記駆動レバー１３７並びに前記回動レバー１４３を介して前記回動軸１４１が回動し、前記後当て部材１４２が、前記カム１３１の前記カム面１３１ａの周期的な変位にしたがって、前記排紙台１１４上に載置されたシート１の搬送方向後方側の端部に対して当接離反移動するように、揺動することができるようになっているのである。
【００３３】
図２，３，６に示すように、前記フレーム１０１の前記ガイドレール１１１の近傍には、前記軸１３２，１４１の軸方向に沿って長手方向を向けた一対のスライドシャフト１５１が長手方向に沿ってスライド移動できるようにそれぞれ貫通支持されている。前記スライドシャフト１５１の対向する先端側には、前記排紙台１１４上に載置されたシート１の搬送方向と直交する水平方向の端部に当接する横端側当て部材である横寄せ板１５２がそれぞれ取り付けられている。
【００３４】
前記フレーム１０１の対向方向外側の、前記スライドシャフト１５１の下方位置には、当該スライドシャフト１５１の長手方向に沿ってガイド溝１５３ａを上面に形成された支持テーブル１５３がそれぞれ突設されている。前記支持テーブル１５３上には、当該支持テーブル１５３の前記ガイド溝１５３ａに対して当該ガイド溝１５３ａの長手方向に沿ってスライド移動できるように差し込まれるガイド突起１５４ａを下面に形成された支持ブロック１５４がそれぞれ配設されている。
【００３５】
前記支持ブロック１５４には、図示しない進退駆動手段がそれぞれ連結されており、当該進退駆動手段を作動させることにより、当該支持ブロック１５４は、前記前記スライドシャフト１５１の長手方向に沿って前記支持テーブル１５３上をスライドして往復移動（進退移動）することができるようになっている。
【００３６】
前記支持ブロック１５４には、前記スライドシャフト１５１がスライド移動可能にそれぞれ貫通支持されている。前記スライドシャフト１５１の下面には、当該スライドシャフト１５１の長手方向にわたってラック１５１ａがそれぞれ形成されている。前記支持ブロック１５４の内部には、前記スライドシャフト１５１の前記ラック１５１ａと噛み合うピニオン１５５が回転可能にそれぞれ設けられている。
【００３７】
前記フレーム１０１の対向方向外側の、シート１の搬送方向前方側（下流側）の端部近傍には、シャフト１５６の一端側（図３，６中、左側）がブラケット１０１ａを介して回転可能にそれぞれ支持されている。前記シャフト１５６の一端には、ノブ１５６ａがそれぞれ設けられている。
【００３８】
前記シャフト１５６の他端側（図３，６中、右側）には、フレキシブルシャフト１５７の一端側（図３，６中、左側）が連結具１５７ａを介してそれぞれ連結されている。前記フレキシブルシャフト１５７の他端側（図３，６中、右側）には、回転軸１５８の一端側（図３，６中、左側）が連結具１５７ｂを介してそれぞれ連結されている。前記回転軸１５８の他端側（図３，６中、右側）は、前記支持ブロック１５４を回転可能に貫通して前記ピニオン１５５に同軸をなしてそれぞれ連結している。
【００３９】
つまり、前記シャフト１５６の前記ノブ１５６ａを回転させると、前記フレキシブルシャフト１５７及び前記回転軸１５８を介して前記ピニオン１５５を回転させて、前記ラック１５１ａを介して前記スライドシャフト１５１を前記支持ブロック１５４に対して進退移動させて、シート１の搬送方向と直交する水平方向（幅方向）の大きさに対応して前記横寄せ板１５２の位置を設定することができると共に、前述したように前記進退駆動手段を作動させて前記支持ブロック１５４を往復移動（進退移動）させると、前記スライドシャフト１５１が前記ピニオン１５５及び前記ラック１５１ａを介して前記支持ブロック１５４と一体的に往復移動（進退移動）して、前記横寄せ板１５２が、前記排紙台１１４上に載置されたシート１の幅方向の端部に対して当接離反するように進退移動（往復移動）することができるようになっているのである。
【００４０】
なお、図３，６中、１５９は、前記シャフト１５６の回転を可能又は不能に切り替えるロックナットである。
【００４１】
このような本実施形態においては、前記ガイドレール１１１、前記スライダ１１２、前記支持ブラケット１１３、前記排紙台１１４、前記スプロケット１１５〜１１８、前記エンドレスチェーン１１９等により、積載手段を構成し、前記ガイドレール１２１、前記移動ブロック１２２、前記シャフト１２５、前記ピニオン１２６、前記ハンドル１２７、前記固定ねじ１２８等により、先端側当て部材位置調整手段を構成し、前記カム１３１、前記連結軸１３２、前記揺動レバー１３３、前記カムフォロア１３４、前記圧縮コイルばね１３５、前記駆動レバー１３７、前記回動軸１４１、前記回動レバー１４３等により、後端側当て部材移動手段を構成し、前記スライドシャフト１５１、前記支持テーブル１５３、前記支持ブロック１５４、前記ピニオン１５５、前記シャフト１５６、前記フレキシブルシャフト１５７、前記回転軸１５８、前記ロックナット１５９、前記進退駆動手段等により、横端側当て部材移動手段と横端側当て部材位置調整手段とを構成し、前記フレーム１０１、前記前当て板１２３、前記ガイドプレート１２４、前記後当て部材１４２、前記横寄せ板１５２、前記積載手段、前記先端側当て部材位置調整手段、前記後端側当て部材移動手段、前記横端側当て部材移動手段及び前記横端側当て部材位置調整手段等により、シート積載装置１００を構成している。
【００４２】
さらに、本実施形態においては、前記給紙台１１、前記サッカ装置１２、前記フィーダボード１３、前記スイング装置１４等によりシート供給手段である給紙装置１０を構成し、前記渡胴２０Ａ〜２０Ｃ、前記印刷胴２１、前記インクジェットノズルヘッド２２Ａ〜２２Ｄ、前記乾燥ランプ２３、前記反転用倍胴２４、前記反転用スイング装置２５等によりシート印刷手段である印刷装置２０を構成し、前記紙取胴３１、前記搬送ベルト３２、前記シート積載装置１００等によりシート排出手段である排紙装置３０を構成し、前記給紙装置１０、前記印刷装置２０、前記排紙装置３０等により両面デジタル印刷機を構成している。
【００４３】
次に、本実施形態に係る両面デジタル印刷機の作動を説明する。
【００４４】
まず、前記シート積載装置１００の前記固定ねじ１２８及び前記ロックナット１５９を緩めて、前記ハンドル１２７及び前記シャフト１５６の前記ノブ１５６ａを回転させることにより、前記排紙台１１４上に積載されるシート１のサイズに対応する位置に前記前当て板１２３及び前記横寄せ板１５２の位置をそれぞれ調整するように前記移動ブロック１２２及び前記スライドシャフト１５１を移動させた後、上記固定ねじ１２８及び上記ロックナット１５９を締め付ける。
【００４５】
続いて、シート１の一方の面のみに印刷を施す場合には、前記給紙部１０の前記給紙台１１上のシート１を前記サッカ装置１２により前記フィーダボード１３上に一枚ずつ供給すると、前記スイング装置１４が当該フィーダボード１３上のシート１の先端側を前記印刷部２０の前記渡胴２０Ａの前記くわえ装置２０Ａａにくわえさせるようにシート１を受け渡す。
【００４６】
前記渡胴２０Ａの前記くわえ装置２０Ａａに先端側をくわえられて保持されたシート１は、前記印刷胴２１の例えばくわえ装置２１ａに先端側をくわえ替えされて保持される。前記印刷胴２１の外周面に保持された前記シート１は、前記インクジェットノズルヘッド２２Ａ〜２２Ｄにより、外側の面（一方の面）にインキが印刷された後、前記乾燥ランプ２３により、印刷されたインキが乾燥されてから、前記渡胴２０Ｂの前記くわえ装置２０Ｂａに先端側をくわえ替えされて保持される。
【００４７】
前記渡胴２０Ｂの前記くわえ装置２０Ｂａに先端側をくわえられて保持されたシート１は、前記渡胴２０Ｃの前記くわえ装置２０Ｃａに先端側をくわえ替えされて保持された後、前記排紙部３０の前記紙取胴３１の前記くわえ装置３１ａに先端側をくわえ替えされて保持される。
【００４８】
前記紙取胴３１の前記くわえ装置３１ａに先端側をくわえられて保持されたシート１は、当該くわえ装置３１ａによる把持から前記搬送ベルト３２上で解放されて当該搬送ベルト３２上に載せられ、前記ローラ３２ａの回転に伴う当該搬送ベルト３２の走行により、前記シート積載装置１００に飛ばされるようにして送り出される（より具体的には後述する）。
【００４９】
他方、シート１の一方の面と他方の面との両面に印刷を施す場合には、上述と同様に、前記給紙部１０の前記給紙台１１上のシート１を前記印刷胴２１の例えばくわえ装置２１ａにくわえさせるように前記印刷部２０の前記渡胴２０Ａを介して受け渡し、当該印刷胴２１の外周面に保持されたシート１に対して、前記インクジェットノズルヘッド２２Ａ〜２２Ｄにより、外側の面（一方の面）にインキを印刷した後、前記乾燥ランプ２３により、印刷されたインキを乾燥してから、前記渡胴２０Ｂを介して前記渡胴２０Ｃの前記くわえ装置２０Ｃａにシート１を受け渡すと、前記紙取胴３１は、前記くわえ装置３１ａで当該渡胴２０Ｃの当該くわえ装置２０Ｃａからシート１を受け取ることなくそのまま通過させる。
【００５０】
前記紙取胴３１の前記くわえ装置３１ａにくわえ替えされることなく前記渡胴２０Ｃの前記くわえ装置２０Ｃａに先端側（一方端側）をくわえられたまま通過した前記シート１は、前記反転用倍胴２４の前記くわえ装置２４ａに先端側（一方端側）をくわえ替えされて保持される。
【００５１】
前記反転用倍胴２４の前記くわえ装置２４ａに先端側（一方端側）をくわえられて保持されたシート１は、後端側（他方端側）を前記反転用スイング装置２５にくわえられると共に、当該反転用倍胴２４の当該くわえ装置２４ａによる保持から先端側（一方端側）が解放された後、当該反転用スイング装置２５によって後端側（他方端側）が前記印刷胴２１の例えば前記くわえ装置２１ｂにくわえ替えされることにより、後端側（他方端側）を先行させて、当該印刷胴２１に先に保持されていたときと反対側の面（他方の面）を外側へ向けるように当該印刷胴２１に再び保持される。
【００５２】
前記印刷胴２１の前記くわえ装置２１ｂに他方端側を新たにくわえられて他方の面を外側へ向けられるように再び保持されたシート１は、先の説明と同様に、前記インクジェットノズルヘッド２２Ａ〜２２Ｄにより、外側の面（他方の面）にインキが印刷され、前記乾燥ランプ２３により、印刷されたインキが乾燥された後、前記渡胴２０Ｂを介して前記渡胴２０Ｃの前記くわえ装置２０Ｃａに他方端側をくわえ替えされて保持され、前記排紙部３０の前記紙取胴３１の前記くわえ装置３１ａに他方端側をくわえ替えされて保持される。
【００５３】
そして、前記紙取胴３１の前記くわえ装置３１ａに他方端側をくわえられて保持されたシート１は、先の説明と同様に、前記搬送ベルト３２上で当該くわえ装置３１ａによる他方端側の把持から解放されて当該搬送ベルト３２上に載せられ、前記ローラ３２ａの回転に伴う当該搬送ベルト３２の走行により、前記シート積載装置１００に飛ばされるようにして送り出される（より具体的には後述する）。
【００５４】
このようにして前記搬送ベルト３２から搬送されたシート１を積載する上記シート積載装置１００のより具体的な作動を次に説明する。
【００５５】
前記搬送ベルト３２から搬送されたシート１は、前記ガイドプレート１２４の下面側のガイド面１２４ａで案内されながら、その搬送方向前方側の端部が前記前当て板１２３に当接することにより、前記排紙台１１４上に落下する。これと併せて、前記紙取胴３１の回転による前記カム１３１の回転に伴って、先に説明したように、前記回動軸１４１が回動することにより、前記後当て部材１４２が、前記排紙台１１４上に落下したシート１の搬送方向後方側の端部に当接して、上記前当て板１２３と協働することでシート１を上記搬送方向に揃えると共に、前記進退駆動手段の作動により、前記横寄せ板１５２が、前記排紙台１１４上に落下したシート１の幅方向の端部に当接してシート１を幅方向に揃える。これにより、シート１は、前記排紙台１１４上に整列される。
【００５６】
このようにして前記排紙台１１４上にシート１が次第に積載されてくると、センサ等からの情報に基づいて、当該排紙台１１４上に積載された最上方のシート１の位置を常に所定の高さ位置に位置させるように、前記駆動スプロケット１１８が回転して前記エンドレスチェーン１１９を走行移動させ、前記スライダ１１２及び前記支持ブラケット１１３を介して上記排紙台１１４を徐々に下降させる。
【００５７】
したがって、本実施形態に係るシート積載装置１００によれば、前記搬送ベルト３２から搬送されたシート１を排紙台１１４上に整列させて積載することが容易にできる。
【００５８】
また、前記搬送ベルト３２から搬送されたシート１を前記ガイドプレート１２４の下面側のガイド面１２４ａで前記前当て板１２３に案内することができるので、前記搬送ベルト３２から飛ばされるように送り出されたシート１の浮き上がりを防止することができ、シート１を前記前当て板１２３に確実に当てることができる。
【００５９】
また、前記ガイドプレート１２４が、前記搬送ベルト３２側よりも前記前当て板１２３側ほど下方に位置するように、すなわち、先端側が基端側よりも上方に位置するように傾斜したガイド面１２４ａを有しているので、前記搬送ベルト３２からのシート１を前記排紙台１１４上に確実に案内することができる。
【００６０】
また、前記排紙台１１４上に落下したシート１の幅方向を前記横寄せ板１５２で揃えるようにしたので、前記排紙台１１４上のシート１を四方全体にわたって整列させることができる。
【００６１】
また、前記排紙台１１４上に積載されるシート１のサイズに対応する位置に前記前当て板１２３及び前記横寄せ板１５２の位置をそれぞれ調整することができるので、どのようなサイズのシート１であっても、前記排紙台１１４上に整列させて積載することができる。
【００６２】
〈他の実施形態〉
なお、前述した実施形態においては、両面デジタル印刷機の排紙装置３０に利用した場合について説明したが、本発明に係るシート積載装置は、印刷されたシート１を搬送ベルト３２で搬送して前当て板１２３に当てて排紙台１１４上に積載するシート積載装置１００に限らず、シート搬送手段から搬送されたシートを先端側当て部材に当接させて積載手段に積載するシート積載装置であれば、前述した実施形態の場合と同様にして適用することができる。
【産業上の利用可能性】
【００６３】
本発明に係るシート積載装置は、シート搬送手段から搬送されたシートを整列させて積載することが容易にできるので、例えば、印刷産業等において極めて有益に利用することができる。
【符号の説明】
【００６４】
１  シート
１０  給紙装置
１１  給紙台
１２  サッカ装置
１３  フィーダボード
１４  スイング装置
２０  印刷装置
２０Ａ〜２０Ｃ  渡胴
２０Ａａ〜２０Ｃａ  くわえ装置
２２Ａ〜２２Ｄ  インクジェットノズルヘッド
２３  乾燥ランプ
２４  反転用倍胴
２４ａ  くわえ装置
２５  反転用スイング装置
３０  排紙装置
３１  紙取胴
３１ａ  くわえ装置
３２  搬送ベルト
３２ａ  ローラ
１００  シート積載装置
１０１  フレーム
１０１ａ  ブラケット
１１１  ガイドレール
１１２  スライダ
１１３  支持ブラケット
１１４  排紙台
１１５〜１１７  スプロケット
１１８  駆動スプロケット
１１９  エンドレスチェーン
１２１  ガイドレール
１２２  移動ブロック
１２２ａ  係合部
１２３  前当て板
１２４  ガイドプレート
１２４ａ  ガイド面
１２５  シャフト
１２６  ピニオン
１２７  ハンドル
１２８  固定ねじ
１３１  カム
１３１ａ  カム面
１３２  連結軸
１３３  揺動レバー
１３４  カムフォロア
１３５  圧縮コイルばね
１３７  駆動レバー
１３７ａ  ピン
１４１  回動軸
１４２  後当て部材
１４３  回動レバー
１４３ａ  ピン
１５１  スライドシャフト
１５１ａ  ラック
１５２  横寄せ板
１５３  支持テーブル
１５３ａ  ガイド溝
１５４  支持ブロック
１５４ａ  ガイド突起
１５５  ピニオン
１５６  シャフト
１５６ａ  ノブ
１５７  フレキシブルシャフト
１５７ａ，１５７ｂ  連結具
１５８  回転軸
１５９  ロックナット
【図１】
2015209291.tif 000003
【図２】
2015209291.tif 000004
【図３】
2015209291.tif 000005
【図４】
2015209291.tif 000006
【図５】
2015209291.tif 000007
【図６】
2015209291.tif 000008